【手続補正書】
【提出日】平成17年10月31日(2005.10.31)
【手続補正１】
【補正対象書類名】明細書
【補正対象項目名】発明の名称
【補正方法】変更
【補正の内容】
【発明の名称】テープカートリッジ、テープ印刷装置並びにテープ印刷方法
【手続補正２】
【補正対象書類名】明細書
【補正対象項目名】特許請求の範囲
【補正方法】変更
【補正の内容】
【特許請求の範囲】
【請求項１】
任意設定情報が付加された被検出画像を所定の検出手段により検出可能に保持するテープカートリッジであって、
前記被検出画像は、前記任意設定情報を所定のフォーマットでパターン化したパターン画像であることを特徴とするテープカートリッジ。
【請求項２】
前記パターン画像は、前記任意設定情報をコード化したコードを示すパターン画像であることを特徴とする請求項１に記載のテープカートリッジ。
【請求項３】
前記コードは、２値コードであることを特徴とする請求項２に記載のテープカートリッジ。
【請求項４】
前記被検出画像は、カートリッジケースに付属させた部材の表面に形成された画像であることを特徴とする、請求項１ないし３のいずれかに記載のテープカートリッジ。
【請求項５】
前記カートリッジケースに付属させた部材は、前記カートリッジケースの表面に貼付されたラベルであることを特徴とする、請求項４に記載のテープカートリッジ。
【請求項６】
請求項１ないし５のいずれかに記載のテープカートリッジを装着するテープカートリッジ装着手段と、
前記テープカートリッジに保持された被検出画像を検出する検出手段と、
その被検出画像が示す任意設定情報に基づいて、前記テープカートリッジに収容されたテープに、定型キャラクタ列画像を印刷するキャラクタ列画像印刷手段と、
を備えたことを特徴とするテープ印刷装置。
【請求項７】
前記定型キャラクタ列画像が印刷されたテープを巻き取るテープ巻き取り手段をさらに備えたことを特徴とする、請求項６に記載のテープ印刷装置。
【請求項８】
請求項１ないし５のいずれかに記載のテープカートリッジを装着するテープカートリッジ装着工程と、
前記テープカートリッジに保持された被検出画像を検出する検出工程と、
その被検出画像が示す任意設定情報に基づいて、定型キャラクタ列画像を印刷するキャラクタ列画像印刷工程と、を備えたことを特徴とするテープ印刷方法。
【手続補正３】
【補正対象書類名】明細書
【補正対象項目名】０００１
【補正方法】変更
【補正の内容】
【０００１】
【発明の属する技術分野】
本発明は、テープカートリッジ、テープ印刷装置並びにテープ印刷方法に関する。
【手続補正４】
【補正対象書類名】明細書
【補正対象項目名】０００５
【補正方法】変更
【補正の内容】
【０００５】
そこで、本発明は、印刷する定型キャラクタ列の画像の情報を検出可能に保持するテープカートリッジ、そのテープカートリッジを装着するだけで、改めて定型キャラクタ列の入力等をすることなく、収容されたテープに定型キャラクタ列画像を印刷できるテープ印刷装置並びにテープ印刷方法を提供することを目的とする。
【手続補正５】
【補正対象書類名】明細書
【補正対象項目名】０００６
【補正方法】変更
【補正の内容】
【０００６】
【課題を解決するための手段】
本発明のテープカートリッジは、任意設定情報が付加された被検出画像を所定の検出手段により検出可能に保持するテープカートリッジであって、前記被検出画像は、前記任意設定情報を所定のフォーマットでパターン化したパターン画像であることを特徴とする。
【手続補正６】
【補正対象書類名】明細書
【補正対象項目名】０００７
【補正方法】変更
【補正の内容】
【０００７】
このテープカートリッジは、被検出画像を所定の検出手段により検出可能に保持するテープカートリッジであって、被検出画像は、任意設定情報を所定のフォーマットでパターン化したパターン画像である。このため、被検出画像を検出可能なテープ印刷装置に、このテープカートリッジを装着すれば、そのテープ印刷装置では、改めて例えば定型キャラクタ列の入力等をすることなく、被検出画像に付加された任意設定情報に基づいて、定型キャラクタ列画像を印刷できる。すなわち、このテープカートリッジは、印刷する定型キャラクタ列画像の情報を検出可能に保持していることになる。なお、この場合の検出手段としては、例えば光学的に被検出画像を読取可能（検出可能）な光学的検出手段（光検出手段）等が考えられる。また、被検出画像として凹凸画像が形成されている場合、その凹凸を検出する検出手段（凹凸検出手段）でも良い。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
また、上記のテープカートリッジにおいて、前記パターン画像は、前記任意設定情報をコード化したコードを示すパターン画像であることが好ましい。
【手続補正１４】
【補正対象書類名】明細書
【補正対象項目名】００１５
【補正方法】変更
【補正の内容】
【００１５】
このテープカートリッジでは、被検出画像のパターン画像が、任意設定情報をコード化したコードを示すパターン画像である。このため、例えば任意設定情報を定型キャラクタ列画像の指示情報とすれば、被検出画像（パターン画像）のコードを読取可能なテープ印刷装置に、定型キャラクタ列を１以上登録しておき、このテープカートリッジを装着することによって、そのテープ印刷装置では、そのコードに従って定型キャラクタ列画像のうちの１を指示し、指示された定型キャラクタ列画像を印刷できる。
【手続補正１５】
【補正対象書類名】明細書
【補正対象項目名】００１６
【補正方法】変更
【補正の内容】
【００１６】
また、上記のテープカートリッジにおいて、前記コードは、２値コードであることが好ましい。
【手続補正１６】
【補正対象書類名】明細書
【補正対象項目名】００１７
【補正方法】変更
【補正の内容】
【００１７】
このテープカートリッジでは、被検出画像のパターンのコードが、２値コードなので、２値コードとして検出可能な被検出画像として保持できる。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】変更
【補正の内容】
【００２０】
また、上記のテープカートリッジにおいて、前記被検出画像は、カートリッジケースに付属させた部材の表面に形成された画像であることが好ましい。
【手続補正２０】
【補正対象書類名】明細書
【補正対象項目名】００２１
【補正方法】変更
【補正の内容】
【００２１】
このテープカートリッジでは、被検出画像は、カートリッジケースの表面に付属させた部材の表面に形成された画像である。すなわち、カートリッジケースに付属された部材には被検出画像が形成されていて、これにより、被検出画像に付加された任意設定情報を検出可能に保持していることになる。このため、その部材の被検出画像を検出可能なテープ印刷装置に、このテープカートリッジを装着すれば、そのテープ印刷装置では、改めて例えば定型キャラクタ列の入力等をすることなく、被検出画像に付加された任意設定情報に基づいて、定型キャラクタ列画像を印刷できる。
【手続補正２１】
【補正対象書類名】明細書
【補正対象項目名】００２２
【補正方法】変更
【補正の内容】
【００２２】
また、上記のテープカートリッジにおいて、前記カートリッジケースに付属させた部材は、前記カートリッジケースの表面に貼付されたラベルであることが好ましい。
【手続補正２２】
【補正対象書類名】明細書
【補正対象項目名】００２３
【補正方法】変更
【補正の内容】
【００２３】
このテープカートリッジでは、カートリッジケースに付属させた部材は、カートリッジケースの表面に貼付されたラベルである。すなわち、検出ラベルが貼付され、その検出ラベルには被検出画像が形成されていて、これにより、任意設定情報を検出可能に保持していることになる。このため、例えば任意設定情報を印刷する定型キャラクタ列画像のキャラクタ列情報とすれば、検出ラベルの被検出画像を検出可能なテープ印刷装置に、このテープカートリッジを装着することにより、被検出画像が示すキャラクタ列情報に基づいて、定型キャラクタ列画像を印刷できる。
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】変更
【補正の内容】
【００２８】
また、本発明のテープ印刷装置は、上記のいずれかに記載のテープカートリッジを装着するテープカートリッジ装着手段と、前記テープカートリッジに保持された被検出画像を検出する検出手段と、その被検出画像が示す任意設定情報に基づいて、前記テープカートリッジに収容されたテープに、定型キャラクタ列画像を印刷するキャラクタ列画像印刷手段と、を備えたことを特徴とする。
【手続補正２８】
【補正対象書類名】明細書
【補正対象項目名】００２９
【補正方法】変更
【補正の内容】
【００２９】
また、本発明のテープ印刷方法は、上記のいずれかに記載のテープカートリッジを装着するテープカートリッジ装着工程と、前記テープカートリッジに保持された被検出画像を検出する検出工程と、その被検出画像が示す任意設定情報に基づいて、定型キャラクタ列画像を印刷するキャラクタ列画像印刷工程と、を備えたことを特徴とする。
【手続補正２９】
【補正対象書類名】明細書
【補正対象項目名】００３０
【補正方法】変更
【補正の内容】
【００３０】
このテープ印刷方法およびその装置では、上記のいずれかに記載のテープカートリッジを装着し、そのテープカートリッジの被検出画像を検出し、被検出画像が示す任意設定情報に基づいて、テープカートリッジに収容されたテープに、定型キャラクタ列画像を印刷する。すなわち、テープカートリッジを装着するだけで、改めて定型キャラクタ列を入力等しなくても、被検出画像が示す任意設定情報に基づいて、収容されたテープに定型キャラクタ列画像を印刷できる。
【手続補正３０】
【補正対象書類名】明細書
【補正対象項目名】００３１
【補正方法】変更
【補正の内容】
【００３１】
また、上記のテープ印刷装置において、前記定型キャラクタ列画像が印刷されたテープを巻き取るテープ巻き取り手段をさらに備えたことが好ましい。
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】変更
【補正の内容】
【００３３】
このテープ印刷装置では、定型キャラクタ列画像が印刷されたテープを巻き取るので、定型キャラクタ列画像の印刷から巻き取りを複数回繰り返すことにより、同一の定型キャラクタ列画像を連続して複数回印刷したテープを得ることができる。すなわち、定型キャラクタ列画像を１つずつ切り離す（カットする）だけで、同一の定型キャラクタ列画像を印刷したラベルを連続して作成できるテープを得ることができる。
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】変更
【補正の内容】
【００３８】
【発明の実施の形態】
以下、本発明の一実施形態に係るテープカートリッジ、テープ印刷装置並びにテープ印刷方法について、添付図面を参照しながら詳細に説明する。
【手続補正３８】
【補正対象書類名】明細書
【補正対象項目名】０１３４
【補正方法】変更
【補正の内容】
【０１３４】
【発明の効果】
上述のように、本発明のテープカートリッジによれば、印刷する定型キャラクタ列の画像の情報を検出可能に保持でき、本発明のテープ印刷装置並びにテープ印刷方法によれば、そのテープカートリッジを装着するだけで、改めて定型キャラクタ列の入力等をすることなく、収容されたテープに定型キャラクタ列画像を印刷できる、などの効果がある。